(57)【要約】【課題】コスト削減を可能とし、かつ、迫力ある音声出力を実現可能とするオーディオ装置を提供する。【解決手段】入力される音声信号の高音域の振幅を減衰させることで相対的に低音域の振幅を増加させるバスブースト部４２と、バスブースト部４２による低音域の振幅の増加に連動して、当該低音域の振幅が増加された音声信号に対し、全帯域の振幅を増加させる第一のボリューム部４３と、を備えるオーディオ装置１００とする。【選択図】図２
2009260682.tif 000002
【特許請求の範囲】
【請求項１】
入力される音声信号の高音域の振幅を減衰させることで相対的に低音域の振幅を増加させるバスブースト部と、
前記バスブースト部による低音域の振幅の増加に連動して、当該低音域の振幅が増加された音声信号に対し、全帯域の振幅を増加させる第一のボリューム部と、
を備えるオーディオ装置。
【請求項２】
前記音声信号の振幅を一又は複数の出力対象のスピーカごとに増加させる第二のボリューム部を備え、
前記第二のボリューム部は、前記バスブースト部による低音域の振幅の増加に連動して、当該低音域の振幅が増加された音声信号に対し、全帯域の振幅を増加させる請求項１に記載のオーディオ装置。
【請求項３】
前記バスブースト部によって前記低音域の振幅を増加させるか否かを切り替えるための入力手段を備え、
前記第一のボリューム部及び／又は前記第二のボリューム部は、前記入力手段によって前記低音域の振幅を増加させる切り替えが行われた場合、当該切り替えに連動して、前記低音域の振幅が増加された音声信号に対し、全帯域の振幅を増加させる請求項１又は２に記載のオーディオ装置。
【請求項４】
前記音声信号の振幅を低音域、中音域、高音域の各領域において個別に増加させるトーン部を備え、  
前記トーン部は、前記ボリューム部によって振幅が予め増加された音声信号に対し、前記各領域における振幅を個別に増加させる請求項１〜３の何れか一項に記載のオーディオ装置。
【発明の詳細な説明】
【技術分野】
【０００１】
本発明は、オーディオ装置に関する。
【背景技術】
【０００２】
一般に広く用いられているオーディオ装置には、低音域の音量を増強するバスブースト（Bass Boost）機能を備えているものがある。バスブースト機能によれば、入力された音声信号のうち、低音域の振幅は増加され、高音域の振幅は減衰される処理が行われる。よって、低音域において迫力ある音声出力が可能となる。
【０００３】
特許文献１によれば、バスブースト機能による振幅の変化量（ゲイン）を調整して、常に一定のバスブースト特性を得ることができる回路が開示されている。
【特許文献１】特開平１１−４１０４８号公報
【発明の開示】
【発明が解決しようとする課題】
【０００４】
しかし、特許文献１によるバスブースト回路をオーディオ装置に組み込んで安価に製造することは困難であり、オーディオ装置のコスト削減を図ることはできない。一方、安価なオーディオ装置によって実現されるバスブースト回路では、十分な低音域増強ができず迫力ある音声出力を実現することはできない。
【０００５】
本発明の目的は、コスト削減を可能とし、かつ、迫力ある音声出力を実現可能とするオーディオ装置を提供することである。
【課題を解決するための手段】
【０００６】
請求項１に記載の発明によれば、
入力される音声信号の高音域の振幅を減衰させることで相対的に低音域の振幅を増加させるバスブースト部と、
前記バスブースト部による低音域の振幅の増加に連動して、当該低音域の振幅が増加された音声信号に対し、全帯域の振幅を増加させる第一のボリューム部と、
を備えるオーディオ装置  
が提供される。
【０００７】
請求項２に記載の発明によれば、請求項１に記載の発明において、
前記音声信号の振幅を一又は複数の出力対象のスピーカごとに増加させる第二のボリューム部を備え、
前記第二のボリューム部は、前記バスブースト部による低音域の振幅の増加に連動して、当該低音域の振幅が増加された音声信号に対し、全帯域の振幅を増加させるオーディオ装置
が提供される。
【０００８】
請求項３に記載の発明によれば、請求項１又は２に記載の発明において、
前記バスブースト部によって前記低音域の振幅を増加させるか否かを切り替えるための入力手段を備え、
前記第一のボリューム部及び／又は前記第二のボリューム部は、前記入力手段によって前記低音域の振幅を増加させる切り替えが行われた場合、当該切り替えに連動して、前記低音域の振幅が増加された音声信号に対し、全帯域の振幅を増加させるオーディオ装置
が提供される。
【０００９】
請求項４に記載の発明によれば、請求項１〜３の何れか一項に記載の発明において、
前記音声信号の振幅を低音域、中音域、高音域の各領域において個別に増加させるトーン部を備え、
前記トーン部は、前記ボリューム部によって振幅が予め増加された音声信号に対し、前記各領域における振幅を個別に増加させるオーディオ装置  
が提供される。
【発明の効果】
【００１０】
本発明によれば、バスブースト機能によって低音域の音量が増加された後、ボリューム部による音量の増加処理が連動して行われる。よって、従来あるオーディオ装置の構成を維持しつつ、バスブースト機能による低音域の音量を増強することができる。つまり、安価なオーディオ装置であっても、低音域において迫力ある音声出力を実現することができる。
【発明を実施するための最良の形態】
【００１１】
以下、本実施形態におけるオーディオ装置の最適な構成及び動作について、図面を用いて詳細に説明する。
まず、図１を参照して、オーディオ装置１００の機能構成について説明する。
オーディオ装置１００は、ＣＤメカ部１０、チューナ部２０、外部Ｉ／Ｆ３０、オーディオＩＣ部４０、アンプ部５０、スピーカ群６０、キー入力部７０、表示部８０、マイクロコンピュータ９０を備えて構成される。
【００１２】
ＣＤメカ部１０は、ＣＤ（Compact Disk）等に記憶されているデジタル音源を音声信号として読み取り、読み取ったアナログの音声信号をオーディオＩＣ部４０に出力する。
チューナ部２０は、放送信号を入力してアナログの音声信号に変換し、変換した音声信号をオーディオＩＣ部４０に出力する。
外部Ｉ／Ｆ３０は、ＵＳＢケーブル等を介して外部機器からアナログの音声信号を入力し、入力した音声信号をオーディオＩＣ部４０に出力する。  
【００１３】
オーディオＩＣ部４０は、マイクロコンピュータ９０から出力される制御信号に基づいて、アナログの音声信号に対し音量調整やイコライザ調整等の各調整を行う。そして、オーディオＩＣ部４０は、アナログの音声信号をアンプ部５０に出力する。オーディオＩＣ部４０を構成する各部の処理については図２で後述する。
アンプ部５０は、アナログの音声信号を入力し、入力した音声信号を増幅してスピーカ群６０に出力する。
スピーカ群６０は、アンプ部５０から出力されるアナログの音声信号を音波として出力する。
【００１４】
キー入力部７０は、各種指示をマイクロコンピュータ９０に出力する。各種指示には、例えばバスブースト機能のＯＮ／ＯＦＦを切り替える指示がある。
表示部８０は、マイクロコンピュータ９０から出力される表示信号に基づいて、オーディオ装置１００の状態表示を行う。
マイクロコンピュータ９０は、シリアルインターフェイスで接続されるオーディオＩＣ部４０に制御信号を出力し、オーディオＩＣ部４０における各処理を集中制御する。
【００１５】
図２に、オーディオＩＣ部４０の機能構成を示す。
オーディオＩＣ部４０は、入力セレクタ部４１、バスブースト部４２、ボリューム部４３、トーン部４４、後段ボリューム部４５、シリアルＩ／Ｆコントローラ４６を備えて構成される。
【００１６】
入力セレクタ部４１は、各部から入力される複数の音声信号のうち、何れかの音声信号を選択してバスブースト部４２に出力する。
バスブースト部４２は、入力セレクタ部４１から出力された音声信号を入力し、入力した音声信号に対し、低音域の振幅を増加させて高音域の振幅を減衰させる処理を行う。
【００１７】
図３に、バスブースト部４２が振幅の増減に用いるアナログフィルタの一例を示す。
縦軸は振幅（音量）、横軸は周波数帯域を示す。図３に示すアナログフィルタにより、周波数に応じて振幅を変化させた音声信号が出力される。振幅の変化量は、予め定められた設定（設定１〜３、ＯＦＦ）によって異なる。設定１〜３の場合の変化量は、低音域では大きく、周波数が高くなるにつれて下がる。そして、下降のピークを過ぎた後は、周波数が高くなるにつれて微増する特性を有する。設定がＯＦＦの場合はフラット（変化量なし）となる。
バスブースト部４２は、入力した音声信号を図３に示すアナログフィルタに通し、このアナログフィルタを通過した音声信号をボリューム部４３に出力する。
【００１８】
ボリューム部４３は、バスブースト部４２から出力される音声信号を入力し、入力した音声信号に対し、全帯域において振幅を増加させる処理を行う。
トーン部４４は、ボリューム部４３から出力される音声信号を入力し、入力した音声信号に対し、低音域（Bass）、中音域（Middle）、高音域（Treble）における中心周波数の振幅を個別に増加させる処理を行う。
後段ボリューム部４５は、トーン部４４から出力される音声信号を入力し、入力した音声信号に対し、出力対象のスピーカごとに振幅を増加させる処理を行う。
シリアルＩ／Ｆコントローラ４６は、マイクロコンピュータ９０から出力された音声信号を入力し、入力した制御信号を上述してきた各部に出力する。
【００１９】
次に、図４、図５を参照して、本実施形態におけるオーディオＩＣ部４０の各部の処理について説明する。
図４を参照して、ボリューム部４３において行われる処理について説明する。
ボリューム部４３は、バスブースト部４２の動作に連動して処理を行う。具体的には、バスブースト部４２は、キー入力部７０からバスブースト機能をＯＮにする切り替え指示があると、切り替え指示に連動して、入力した音声信号に対し低音域の振幅を増加する処理を行う。ここで、ボリューム部４３は、高音域の振幅が図３のＯＦＦ値よりも更に大きい振幅となるように全帯域の振幅を増加させる。   
ボリューム部４３によって全帯域の振幅が更に増加されるため、結果として従来以上に低音域の振幅が増強される。
【００２０】
図５を参照して、後段ボリューム部４５において行われる処理について説明する。
後段ボリューム部４５は、バスブースト部４２及びボリューム部４３の動作に連動して処理を行う。具体的には、バスブースト部４２及びボリューム部４３は、キー入力部７０からバスブースト機能をＯＮにする切り替え指示があると、切り替え指示に連動して、入力した音声信号に対し低音域の振幅及び全帯域の振幅を増加させる処理を行う。そして、後段ボリューム部４５は、バスブースト部４２及びボリューム部４３の動作に連動して、更に全帯域の振幅を増加させる処理を行う。ここで、後段ボリューム部４５は、ボリューム部４３によって高音域の振幅が図３のＯＦＦ値よりも大きい振幅となるように増加された全帯域の振幅に対し、更に全帯域の振幅を増加させる。
後段ボリューム部４５によって全帯域の振幅が更に増加されるため、結果として従来以上に低音域の振幅が増強される。
【００２１】
以上のように、本実施形態によれば、バスブースト部４２によって低音域の振幅が増加される処理が行われると、自動的にボリューム部４３によって全帯域における振幅の増加処理が行われる。このとき、ボリューム部４３は、従来以上に振幅を増加させる。具体的には、高音域の振幅が図３のＯＦＦ値よりも更に増加される。この結果、低音域の振幅が増強されることになる。よって、現状のオーディオ装置の構成を維持しつつ、迫力ある音声出力を可能とすることができる。
【００２２】
また、バスブースト部４２又はボリューム部４３によって低音域の振幅が増加される処理が行われると、自動的に後段ボリューム部４５による振幅の増加処理が行われることとしてもよい。この結果、低音域の振幅が更に増強されることになる。よって、現状のオーディオ装置の構成を維持しつつ、迫力ある音声出力を可能とすることができる。
【００２３】
また、キー入力部７０によってバスブースト機能のＯＮ／ＯＦＦを切り替えることができ、バスブースト機能をＯＮに切り替えた場合、バスブースト部４２による低音域の振幅増加に連動して、ボリューム部４３又は後段ボリューム部４５による振幅の増加処理が行われることにしてもよい。この場合、ユーザはバスブースト機能をＯＮに切り替える操作のみで、低音域の振幅を増強させ、迫力ある音声出力を視聴することができる。
【００２４】
なお、本実施形態における音声信号の増強効果は、上述してきたバスブーストの処理に限られず、例えばイコライザ調整の処理においても利用することができる。以下、他の実施例として、音声信号の増強効果をイコライザ調整に利用した場合について説明する。
【００２５】
図６を参照して、ボリューム部４３及びトーン部４４において行われる処理について説明する。なお、上述してきた増強効果と区別するため、バスブースト機能はＯＦＦに切り替えられているものとして説明するが、ＯＮであってもよい。
【００２６】
ボリューム部４３は、トーン部４４においてイコライザ調整が行われることに連動して、入力した音声信号に対して予め振幅を増加させる処理を行う。
トーン部４４は、ボリューム部４３によって全帯域の振幅が増加された音声信号に対し、低音域、中音域、高音域の何れか又は全ての帯域において個別に振幅を増加させる。
【００２７】
以上のように、他の実施例によれば、ボリューム部４３で全帯域における振幅が予め増加され、トーン部４４で各周波数帯域の振幅を更に増加させる処理が行われる。結果、イコライザカーブが増強される。よって、ユーザはイコライザ調整を効果的に行うことが可能となる。
【図面の簡単な説明】
【００２８】
【図１】オーディオ装置の機能構成を示す図である。
【図２】オーディオＩＣ部の機能構成を示す図である。
【図３】デジタルフィルタのイメージ図である。
【図４】ボリューム部において行われる処理を説明する図である。
【図５】後段ボリューム部において行われる処理を説明する図である。
【図６】ボリューム部及びトーン部において行われる処理を説明する図である。
【符号の説明】
【００２９】
１００  オーディオ装置
１０    ＣＤメカ部
２０    チューナ部
３０    外部Ｉ／Ｆ
４０    オーディオＩＣ部
５０    アンプ部
６０    スピーカ群
７０    キー入力部
８０    表示部
９０    マイクロコンピュータ
４１    入力セレクタ部
４２    バスブースト部
４３    ボリューム部
４４    トーン部
４５    後段ボリューム部
【図１】
2009260682.tif 000003
【図２】
2009260682.tif 000004
【図３】
2009260682.tif 000005
【図４】
2009260682.tif 000006
【図５】
2009260682.tif 000007
【図６】
2009260682.tif 000008